(57)【要約】【課題】電子製品に設けるタッチパネルを、カバーで覆う必要をかくすこと。【解決手段】少なくとも上部モジュールと下部モジュールと電気信号連接モジュールと遮断モジュールを含み、上部モジュールはその一端に複数個の導電パーツが設けられていて、下部モジュールの一端に溝が設けられ、しかも下部モジュールは上部モジュールの下に設けられていて、上部モジュールのうちの少なくとも一つの導電パーツに電気的に接続していて、電気信号連接モジュールは下部モジュールの溝を穿ち、上部モジュールのもう一つの導電パーツと電気的に接続していて、上部および下部モジュールの電気信号を出力し、遮断モジュールは下部モジュールの溝を穿ち、電気信号モジュールと接合している。【選択図】図５
0003140994.tif 000002
【実用新案登録請求の範囲】
【請求項１】
一種のタッチパネルの構造であって、
少なくとも上部モジュールと下部モジュールと電気信号連接モジュールと遮断モジュールを含み、
前記上部モジュールはその一端に複数個の導電パーツが設けられていて、
前記下部モジュールの一端に溝が設けられ、しかも当該下部モジュールは前記上部モジュールの下に設けられていて、該上部モジュールのうちの少なくとも一つの導電パーツに電気的に組み合わせていて、
前記電気信号連接モジュールは前記下部モジュールの溝を穿ち、前記上部モジュールのもう一つの導電パーツと電気的に組み合わされていて、該上部および下部モジュールの電気信号を出力し、
前記遮断モジュールは前記下部モジュールの溝を穿ち、電気信号モジュールと接合することを特徴とする、タッチパネルの構造。
【請求項２】
請求項１において、上部モジュールはさらにネームプレートおよび上部を包含し、当該上部はネームプレートの下方に設置することを特徴とする、タッチパネルの構造。
【請求項３】
請求項２において、前記上部には上方透明導電膜を設け、複数個の連接元および複数個の導電接点とすることを特徴とする、タッチパネルの構造。
【請求項４】
請求項２において、ネームプレートおよび上部は接着剤で全面的に粘着して接合することを特徴とする、タッチパネルの構造。
【請求項５】
請求項４において、接着剤は光学ゲルとすることを特徴とする、タッチパネルの構造。
【請求項６】
請求項１において、下部モジュールはさらに下部および基板を包含し、当該基板は前記下部の下方に設けることを特徴とする、タッチパネルの構造。
【請求項７】
請求項６において、下部には下方導電膜と複数個の連接元と下方の導電膜連接を設けることを特徴とする、タッチパネルの構造。
【請求項８】
請求項６において、基板はプラスチック材で組成され、タッチパネルの強度強化に用いられることを特徴とする、タッチパネルの構造。
【請求項９】
請求項８において、基板の材質がポリフェノール樹脂であることを特徴とする、タッチパネルの構造。
【請求項１０】
請求項６において、基板と前記下部は接着剤で全面的に接着して結合させることを特徴とする、タッチパネルの構造。
【請求項１１】
請求項１０において、接着剤は光学ゲルとすることを特徴とする、タッチパネルの構造。
【請求項１２】
請求項１において、上部モジュールと下部モジュールの周辺縁は粘着材料を使って貼り合わせて、上部モジュールと下部モジュールを一体にすることを特徴とする、タッチパネルの構造。
【請求項１３】
請求項１２において、粘着材料は両面ペーストとすることを特徴とする、タッチパネルの構造。
【請求項１４】
請求項１において、電気信号連接モジュールは、複数個の導電接点とその当該電気信号連接モジュールで通じており、しかもその当該複数個の導電接点は当該上部の当該複数個の導電接点で導電ペーストに以って電気的に組み合わせすることができることを特徴とする、タッチパネルの構造。
【請求項１５】
請求項１４において、導電ペーストはシルバーペーストとすることを特徴とする、タッチパネルの構造。
【請求項１６】
請求項１において、上部モジュールと下部モジュールの間に当該の複数個の連接元は導電ペーストによって電気的に組み合わせさせ、さらに上、下部モジュールで導電膜の信号を出力することを特徴とする、タッチパネルの構造。
【請求項１７】
請求項１６において、導電ペーストはシルバーペーストとすることを特徴とする、タッチパネルの構造。
【請求項１８】
請求項２において、ネームプレートはそれぞれ第一エリアおよび一第二エリアを設けることを特徴とする、タッチパネルの構造。
【請求項１９】
請求項１８において、ネームプレートの第一エリアは上部モジュールと下部モジュールを遮断する導電膜電路に用いることを特徴とする、タッチパネルの構造。
【請求項２０】
請求項１８において、ネームプレートの第一エリアは少なくとも一つの図像を表すのに用いられることを特徴とする、タッチパネルの構造。
【請求項２１】
請求項１において、遮断モジュールは上部モジュールと、下部モジュールおよび電気信号モジュールを接着剤で粘着接合することを特徴とする、タッチパネルの構造。
【考案の詳細な説明】
【技術分野】
【０００１】
本考案は、一種のタッチパネルの改良構造に関し、特に電子製品カバーの全体厚さを効果的に薄くして、電子製品のカバーとタッチパネルを同一平面にして、タッチパネルの完成のために他の熱圧プロセスを不要とするタッチパネルの構造に関するものである。
【背景技術】
【０００２】
ハイテク電子情報産業の勃興と発展に伴い、消費性の電子製品が人々の日常生活における必需品となった。
また、消費性の電子製品は軽薄短小になる一方、人間と機械の相互作用パネルの電子製品の趨勢に向かって邁進している。
市場マーケットのニーズに応えるため、タッチ式モニターという商品が現れた。
このタッチ式モニターは、その内部にタッチパネル（Touch Panel）が設置してある。このタッチパネルを通じて、ユーザーは指やペンによる接触方式で直接の指令を入力することで、キーボードやマウスなどを経ずにパネルでダイレクトに電子製品と相互作用を発揮させることができて、電子製品をさらにヒューマナライズさせることができる。
【０００３】
図１に示すように、従来のタッチパネルの断面構造１０は、不純物としてスズ（Ｓｎ）をドープした酸化インジウム（indium tin oxide、ＩＴＯ）薄膜層１０１、印刷層１０２、ガラス層１０３および軟性印刷電路板１０４を含む。
もしこれらの材質の異なる複数層を一つの構造にする場合、通常は異方性導電ペースト１０５を軟性電路板１０４の上下両側に印刷することで粘着させる。
異方性導電ペースト１０５を接着剤として粘着を行う際に、上記した材質の異なる複数層の物質と異方性導電ペーストとの加熱と加圧を同時に進行すれば、一体化を図ることができる（図１のタッチパネル構造１０のように）。
このように一体化のために加熱と加圧を行う必要があることから、通常はタッチパネルに熱変形を生じ、タッチパネルの表面に本来あるべき平整性(平滑性)を失うことになる。
【０００４】
図２に示すように、従来のタッチパネル構造１０は明らかにａ区とｂ区に分かれている（破線で二つのエリアに分割）。ａ区はタッチパネル構造１０の回路エリアおよび粘着区であり、ｂ区は透明展示エリアである。
【０００５】
図３に示すように、メーカはａ区の回路エリアを遮蔽するため、通常は囲みカバーでタッチパネル構造１０のａ区を覆うことで、美観の増加を図っている。
３図に示すような電子製品カバー３１は、その回り縁３３および弾性ワッシャー３０でタッチパネル構造１０のａ区をそのなかに覆って固定するために、同時にこれによってカバー３１のカバー厚さ３２が増す。
【０００６】
電子製品を軽薄短小の傾向に対応するため、もしタッチパネル装置を直接に電子製品に設けることができ、しかもほかの囲みカバーでタッチパネル構造を覆う必要がなくなれば、製品は外観の美しさが増して、しかも厚さも減らすことができる。
【０００７】
この目的に達するため、タッチパネル構造に良好な平整性と全体性を与え、電子製品の厚さを減らすための技術の提案が必要とされている。
【考案の開示】
【考案が解決しようとする課題】
【０００８】
本考案は電子製品の表面に装着する一種のタッチパネルの改良構造で、そのパネルは構造的にも機能的にも当該電子製品の一部に設けることができて、しかも囲みカバーでタッチパネルを覆う必要をなくすことを目的とする。
【課題を解決するための手段】
【０００９】
上記目的を達成するため、本考案が提供するタッチパネルの構造は、一種のタッチパネルの構造であって、少なくとも上部モジュールと下部モジュールと電気信号連接モジュールと遮断モジュールを含み、前記上部モジュールはその一端に複数個の導電パーツが設けられていて、前記下部モジュールの一端に溝が設けられ、しかも当該下部モジュールは前記上部モジュールの下に設けられていて、該上部モジュールのうちの少なくとも一つの導電パーツに電気的に組み合わせていて、前記電気信号連接モジュールは前記下部モジュールの溝を穿ち、前記上部モジュールのもう一つの導電パーツと電気的に組み合わされていて、該上部および下部モジュールの電気信号を出力し、前記遮断モジュールは前記下部モジュールの溝を穿ち、電気信号モジュールと接合している。
【考案の効果】
【００１０】
本考案に係るタッチパネルの改良構造は、電子製品のカバーとタッチパネルの表面を同一平面にすることによって、電子製品の良好な美観を保つだけでなく、電子製品全体の厚さを減らすことができる。
【考案を実施するための最良の形態】
【００１１】
図４に本考案に係るタッチパネル構造を示す。
本考案のタッチパネル構造４０は、ネームプレート４１（Icon Sheet）、上部４２、下部４３、軟性印刷電路板４４、プラスチック基板４５および固定材４６の組み合わせで構成されるものである。
【００１２】
図４に示すように、上部４２の上表面には透明導電膜４２０があり、下部４３の下表面にも導電膜４３０がある。
上部４２と下部４３の間は球状スぺーサー（Dot Spacer）で上、下両部をそれぞれ一定の間隔で隔て、対面配置する。
上、下部４２，４３の透明導電膜４２０、４３０は、酸化インジウム（indium tin oxide、ＩＴＯ）などである。
当該上部４２には連接元４２１が設けられ、当該下部４３にも連接元４３１が設けられる。
当該連接元４３１と導電膜４３０はともに連接し、下部４３の導電膜４３０を提供することで電気信号を上部４２の導電膜４２０に伝える。
また上部４２でも複数個の導電接点４２２を提供し、それらを軟性印刷電路板４４の上の複数個の導電接点４４１にとって相互に電気的に組み合わせを行う。
このため、上部４２の透明導電膜４２０および下部４３の導電膜４３０の電気信号は軟性印刷電路板４４を経て外部に伝わり通信が行われる。
【００１３】
特に、当該の上下部の連接元４２１、４３１と、複数個導電接点４２２、４４１の間には一種の導電ペースト（例えばシルバペースト）て粘結させる。
【００１４】
当該ネームプレート４１はエリア４１ａおよびエリア４１ｂの両エリアを包含し、そのうちのエリア４１ａは深色の遮蔽区として、上部４２および下部４３の導電膜４２０、４３０の回電路線を遮蔽する作用をはたす。
この他に、設計者は当該エリアに特定のロゴなどを設計することができる。例えば、会社の商標において４１ｂは透明エリアで、それを液晶モニター（Liquid Crystal Display、ＬＣＤ）の表示エリアとする。
当該ネームプレート４１と上部４２は一種の接着剤で全面貼り合わせ、当該の接着剤は光学ゲルで、ネームプレート４１と上部４２を貼り合わせたたものを上部モジュールＡと称する。
【００１５】
当該下部４３は、溝４３２を包含する。
当該溝４３２は軟性印刷電路板４４がそこを通じて上部４２の複数個の導電接点４２２と軟性印刷電路板４４の複数個接点４４１の電気の組み合わせを利するためのものである。
プラスチック基板４５は、タッチパネル全体の構造の支えで、一般にポリカルボネート（Polycarbonate、ＰＣ）で製造する。
当該プラスチック基板４５は溝４５２を包含する。
溝４５２は軟性印刷電路板４４がそこを通じさせることで上部４２の複数個の導電接点４２２と軟性印刷電路板４４の複数個導電接点４４１で電気的に組み合わせを実現させる。
当該プラスチック基板４５とその下部４３は一種の接着剤で全面接合させ、当該の接着剤は光学ゲルでもよい。プラスチック基板４５と下部４３と接合させたものを下部モジュールＢと称する。
【００１６】
図５に示すように、当該の上部モジュールＡと下部モジュールＢの間には一種の粘着材料による辺縁四周との結合が行われる。
この種の粘着材料は両面ペーストとなる。
上部４２の複数個導電接点４２２と軟性印刷電路板４４の複数個導電接点４４１の間シルバーペーストの粘着結合の強度を強化するため、当該固定材４６でプラスチック基板４５の溝４５２および下部４３の溝４３２を穿つことで、軟性印刷電路板４４および溝４３２、４５２を一体に結合させる。
【００１７】
６図に示すように、加熱および加圧なしで上部モジュールＡと下部モジュールＢの貼り合せを完了することで、タッチパネル構造４０が得られる。しかもこのようにして得られたタッチパネル構造４０は接触面の美観を保つことができる。
【００１８】
図７はタッチパネルの構造断面図を示すもので、はっきりとタッチパネルの各パーツで組成される構造を説明することができる。
【００１９】
タッチパネル構造４０と電子製品カバー８０の断面の組合図を示した図８において、そのうちカバー８０の四周の凸縁８１とタッチパネル構造４０は平行で嵌め込みあい、平行に組合せた構造となる。
また当該電子製品の内部枠組みは、液晶モニター８２（Liquid Crystal Display、ＬＣＤ）を、タッチパネル構造４０の下部下方に置いたものである。
鉄枠８５を隔層として液晶モニター８２およびタッチパネル構造４０として隔離し、全体構造の強度を強化するため、電路板８４は液晶モニター８２の下方に設置する。
また軟性印刷電路板４４と信号プロセッサー８３の組み合わせがタッチパネル構造４０の電子信号を電路板８４に伝達することで、各種電子信号の処理を行わせる。
【００２０】
タッチパネル構造４０と電子製品カバー８０の断面組合図を示した図９に示すように、当該電子カバー８０とタッチパネル構造４０の表面は同一平面であり、高低の格差は発生せず、製品全体の美観性を増加させ、しかも電子製品全体の厚さを有効的に減少させることができる。
【００２１】
以上の説明および図示した説明は、本考案の実施例の説明に過ぎず、本考案がこれらの実施例に制限されるものではなく、本考案の構造、装置、特徴等に近似し、同等のものは本考案に含まれるものである。
【図面の簡単な説明】
【００２２】
【図１】従来のタッチパネルの構造図。
【図２】従来のタッチパネルの平面図。
【図３】従来のタッチパネルと電子製品のカバーの組合図。
【図４】本考案におけるタッチパネルの構造の立体図。
【図５】本考案におけるタッチパネルの組合立体図。
【図６】本考案におけるタッチパネルの組合立体図。
【図７】本考案におけるタッチ面の分解組立図。
【図８】本考案におけるタッチパネルと電子製品カバーの分解組立図。
【図９】本考案におけるタッチパネルと電子製品カバーの分解組立図。
【符号の説明】
【００２３】
１０      タッチパネル
１０１    酸化スズ薄膜層
１０２    印刷層
１０３    ガラス層
１０４    軟性印刷電路板
１０５    異方性導電ペースト
３０      弾性ワッシャー
３１      カバー
３２      カバーの厚さ
３３      周辺凸縁
４０      タッチパネル構造
４１      ネームプレート
４１ａ    エリア
４１ｂ    エリア
４２      上部
４２０    透明導電膜
４２１    連接元
４２２    導電接点
４３      下部
４３０    導電膜
４３１    連接元
４３２    溝
４４      軟性印刷電路板
４４１    導電接点
４５      プラスチック基板
４５２    溝
４６      固定材
８０      カバー
８１      凸縁
８２      液晶モニター
８３      信号プロセッサー
８４      電路板
８５        鉄枠
【図１】
0003140994.tif 000003
【図２】
0003140994.tif 000004
【図３】
0003140994.tif 000005
【図４】
0003140994.tif 000006
【図５】
0003140994.tif 000007
【図６】
0003140994.tif 000008
【図７】
0003140994.tif 000009
【図８】
0003140994.tif 000010
【図９】
0003140994.tif 000011